(57)【特許請求の範囲】
【請求項１】
少なくとも前面に開口しランプからの光を反射する反射面を備えた反射板を有してなる照明器具において、前記反射面を断面が略階段状で且つ該階段状の段部を略前面に向くように形成すると共に、該反射面の階段状の段部を乱反射面とし、段部以外の面を鏡面としたことを特徴とする照明器具。
【請求項２】
前記反射面を温度により変形させ、前記段部を前記ランプの消灯時にのみ露出させて、前記ランプの消灯時にのみ前記反射面を階段状としたことを特徴とする請求項１記載の照明器具。
【請求項３】
前記反射板を、一端側に段部を有する形状記憶合金製の小片を、前記ランプの周を略囲う反射板支持体の内面側に、前記小片の一端側を前面側として組み合わせて形成したことを特徴とする請求項２記載の照明器具。
【請求項４】
前記反射板を、一端側に段部を有する熱膨張率の異なる２種類の金属を重ねた小片を、前記ランプの周を略囲う反射板支持体の内面側に、前記小片の一端側を前面側として組み合わせて形成したことを特徴とする請求項２記載の照明器具。
【発明の詳細な説明】
【０００１】
【産業上の利用分野】
本発明は、反射板を有してなる照明器具に関するものである。
【０００２】
【従来の技術】
図４は、従来の照明器具を示すものであり、この照明器具は、下方に開口した略筒状の器具本体１と、その器具本体１内に収納される反射板２と、ランプ３とを有して構成されている。
【０００３】
反射板２は、略回転２次曲面体状の外形を有し、その内側にランプ３が配設されてなり、内面側がランプ３の光を反射する反射面２ａとされており、その反射面２ａは、配光の制御や、器具効率及び器具設計等の点から、その表面の仕上げがＡｌ蒸着や、Ａｇ蒸着、電解研磨、アルマイト加工等により鏡面仕上げとされている。
【０００４】
【発明が解決しようとする課題】
しかしながら、上述のように構成された従来の照明器具においては、照明器具の消灯時において、反射板２の反射面２ａが鏡面仕上げされているために、照明器具の外部から入射した光に対して反射面２ａでの拡散性が低く、照明器具を前面側から見ると、前面側から見える面である反射板２の表面が暗く見えて見栄えが悪く、不快感を与えるという問題点があった。
【０００５】
本発明は、上記の問題点を改善するためになされたもので、その目的とするところは、照明器具の消灯時に、反射板の表面が暗く見えることを防いで、見栄えが良く、不快感を与えることのない照明器具を提供することにある。
【０００６】
【課題を解決するための手段】
本発明は上記の問題点を解決するため、請求項１記載の発明にあっては、少なくとも前面に開口しランプ３からの光を反射する反射面２ａを備えた反射板２を有してなる照明器具において、前記反射面２ａを断面が略階段状で且つ該階段状の段部を略前面に向くように形成すると共に、該反射面２ａの階段状の段部２ｂを乱反射面とし、段部以外の面を鏡面としたことを特徴とするものである。
【０００７】
また、請求項２記載の発明にあっては、前記反射面２ａを温度により変形させ、前記段部２ｂを前記ランプ３の消灯時にのみ露出させて、前記ランプ３の消灯時にのみ前記反射面２ａを階段状としたことを特徴とするものである。
【０００８】
また、請求項３記載の発明にあっては、前記反射板２を、一端側に段部２ｂを有する形状記憶合金製の小片２ｃを、前記ランプ３の周を略囲う反射板支持体２ｄの内面側に、前記小片２ｃの一端側を前面側として組み合わせて形成したことを特徴とするものである。
【０００９】
さらには、請求項４記載の発明にあっては、前記反射板２を、一端側に段部２ｂを有する熱膨張率の異なる２種類の金属を重ねた小片２ｃを、前記ランプ３の周を略囲う反射板支持体２ｄの内面側に、前記小片２ｃの一端側を前面側として組み合わせて形成したことを特徴とするものである。
【００１０】
【作用】
以上のように本発明は、請求項１記載の発明にあっては、少なくとも前面に開口しランプ３からの光を反射する反射面２ａを備えた反射板２を有してなる照明器具において、前記反射面２ａを断面が略階段状で且つ該階段状の段部を略前面に向くように形成すると共に、該反射面２ａの階段状の段部２ｂを乱反射面とし、段部以外の面を鏡面としたため、ランプ３の消灯時には、照明器具の前面側から見える乱反射面とされた段部２ｂが、照明器具の外部から入射する光を乱反射して拡散させ、これにより反射板２の表面が暗く見えることがなくなって、照明器具の消灯時の見栄えが良くなり、不快感を与えることがなくなる。
【００１１】
また、請求項２乃至請求項４記載の発明にあっては、前記反射面２ａを温度により変形させ、前記段部２ｂを前記ランプ３の消灯時にのみ露出させて、前記ランプ３の消灯時にのみ前記反射面２ａを階段状としたため、ランプ３の点灯時には段部２ｂが露出せず反射面２ａは所定の反射面２ａを保って、配光の変化や、器具効率の低下を招くこともなくなる。
【００１２】
【実施例】
図１は、本発明の照明器具の第１の実施例を示すものであり、前記従来例と異なる点は、反射板２であり、他は前記従来例と同様に構成されている。
【００１３】
反射板２は、ＡＢＳ樹脂を成形して前面側である下面側に開口を有する、外形が略回転２次曲面体状とされ、その内側の中心軸上にランプ３が配設されてなり、内面側がランプ３の光を反射する反射面２ａとされている。また、その反射面２ａは断面が略階段状とされ、その段部２ｂを除く面は、配光の制御や、器具効率及び器具設計等の点から、その表面の仕上げがＡｌ蒸着により鏡面仕上げとされて、ランプ３の点灯時にはランプ３からの光を反射し配光を制御する面とされ、段部２ｂには、Ａｌ蒸着をせずＡＢＳ樹脂の白色の面を露出させて乱反射面として、ランプ３の点灯時の配光の制御には殆ど利用されない面としている。
【００１４】
このように構成されているため、ランプ３の点灯時には、主として鏡面仕上げされた反射面２ａの段部２ｂを除く面により配光の制御がされ、ランプ３の消灯時には、照明器具の前面側である下面側から見える乱反射面である白色の段部２ｂが、照明器具の外部から入射する光を乱反射して拡散させ、これにより反射板２の表面が暗く見えることがなくなって、照明器具の消灯時の見栄えが良くなり、不快感を与えることがなくなる。
【００１５】
なお、前記第１の実施例において、反射面２ａの段部２ｂを除く面に、Ａｌ蒸着に代えてアルマイト加工を行って表面を鏡面仕上げとし、段部２ｂには乳白アクリルの塗料を塗布し乱反射面としたようなものであっても良く、この場合においても、前記第１の実施例と同様の効果を奏する。また、反射板２をＡＢＳに代えてＡｌ材により形成し、その内面側を電解研磨により鏡面仕上げを行い、段部２ｂに白色塗料を塗布したようなものであっても良く、この場合においても、前記第１の実施例と同様の効果を奏する。
【００１６】
図２は、本発明の照明器具の第２の実施例を示すものであり、前記第１の実施例と異なる点は、反射板２であり、他は前記第１の実施例と同様に構成されている。
【００１７】
反射板２は、ランプ３の周を略囲い略回転２次曲面を有する反射板支持体２ｄの内面側に、複数の小片２ｃを取り付けて構成したものであり、その小片２ｃは、Ｎｉ／Ａｌ合金（形状記憶合金）により形成され、一端側に段部２ｂを有してその形状が略Ｌ字状に形成
されており段部２ｂを除く面は、反射面２ａとしての曲面を有し、その表面は鏡面仕上げとされ、段部２ｂは白色塗料等により乱反射面とされている。
【００１８】
このような小片２ｃは、反射板２の任意の縦断面を考えると、その一端側の段部２ｂの先端側を反射板支持体２ｄ側に向け、その一端側を前面側である下側として、任意の１つの小片２ｃの他端側と、その上側に位置する小片２ｃの一端側が、重なることなく略当接するように配設され、その他端側である小片２ｃの上端近傍で反射板支持体２ｄに固着され、さらに一端側がバネ２ｅを介して反射板支持体２ｄに固着されている。
【００１９】
つまり、小片２ｃは、ランプ３の消灯時であって、その温度が略室温レベルである場合には、その一端側が反射板２の内側に突出して段部２ｂが露出した同図(a) に示すような階段状の一部を形成する形状であり、ランプ３が点灯されて温度が上昇したときには、同図(b) に示すように従来例と同様に反射面２ａが滑らかとなるように、その形状を記憶させており、上記バネ２ｅは、ランプ３の点灯時に形状記憶合金である小片２ｃが、記憶した形状に変化できるバネ定数を持つものとされている。
【００２０】
このように構成されているため、本実施例における照明器具においては、前記第１の実施例と同様の効果を奏すると共に、ランプ３の点灯時には、小片２ｃが記憶された形状に復元されて段部２ｂが露出せず、反射面２ａが従来の反射板２と同様の滑らかな所定の反射面２ａを保って、配光や器具効率に影響を与えることがない。
【００２１】
図３は、本発明の照明器具の第３の実施例を示すものであり、前記第２の実施例と異なる点は、反射板２であり、他は前記第２の実施例と同様に構成されている。
【００２２】
反射板２は、前記第２の実施例と同様に、反射板支持体２ｄの内面側に、複数の小片２ｃを取り付けて構成したものであり、その小片２ｃが、形状記憶合金に代えて、熱膨張率の異なる２種類の金属を重ねた部材（バイメタル）により構成され、その小片２ｃの一端側は、前記第２の実施例におけるバネ２ｅを設けず、したがって、小片２ｃは、その他端側である上側でのみ反射板支持体２ｄに取り付けられたものである。
【００２３】
つまり、小片２ｃは、その反射板支持体２ｄ側がＮｉとされ、反射板２の内側であるランプ３側がＡｌとされたバイメタルにより構成されており、ランプ３の消灯時には同図(a) のように段部２ｂが露出した形状とされ、ランプ３が点灯されて温度が上昇すると、Ａｌの熱膨張計数（0.2313）＞Ｎｉの熱膨張計数（0.1510）であるために、小片２ｃは変形して同図(b) のように段部２ｂが隠蔽された状態とななり、このとき、温度がさらに上昇しても、段部２ｂの先端が反射板支持体２ｄに当接しているため、小片２ｃは、それ以上は変形せず、所定の反射面２ａを保つ。また、ランプ３が消灯されて温度が下がれば、小片２ｃは再び同図(a) の状態に戻る。このように構成しても、前記第２の実施例と同様の効果を奏する。
【００２４】
なお、前記各実施例においては反射板の形状を、略回転２次曲面を有するものとして説明を行ったが、本発明はこれに限らず、円錐台状の外形を有するもの等、どのような形状のものであっても良く、また、前記各実施例において、乱反射面とされる段部２ｂは、その表面をあらして凹凸を設けたようなものであっても良い。
【００２５】
【発明の効果】
このように本発明は、請求項１記載の発明にあっては、少なくとも前面に開口しランプからの光を反射する反射面を備えた反射板を有してなる照明器具において、前記反射面を断面が階段状で且つ該階段状の段部を略前面に向くように形成すると共に、該反射面の階段状の段部を乱反射面とし、段部以外の面を鏡面としたため、ランプの消灯時には、照明器具の前面側から見える乱反射面とされた段部が、照明器具の外部から入射する光を乱反射して拡散させ、これにより反射板の表面が暗く見えることがなくなって、照明器具の消灯時の見栄えが良くなり、不快感を与えることがなくなる。
【００２６】
また、請求項２乃至請求項４記載の発明にあっては、前記反射面を温度により変形させ、前記段部を前記ランプの消灯時にのみ露出させて、前記ランプの消灯時にのみ前記反射面を階段状としたため、請求項１記載の発明の効果に加えて、ランプの点灯時には段部が露出せず反射面は所定の反射面を保って、配光の変化や、器具効率の低下を招くこともなくなる。
【図面の簡単な説明】
【図１】本発明の照明器具の第１の実施例の要部断面図である。
【図２】本発明の照明器具の第２の実施例に係る反射板の要部を示すもので、(a) はランプ消灯時の断面図、(b) はランプ点灯時の断面図である。
【図３】本発明の照明器具の第３の実施例に係る反射板の要部を示すもので、(a) はランプ消灯時の断面図、(b) はランプ点灯時の断面図である。
【図４】従来の照明器具を示す一部断面正面図である。
【符号の説明】
２      反射板
２ａ    反射面
２ｂ    段部
２ｃ    小片
２ｄ    反射板支持体
３      ランプ
【図１】
0003663637.tif 000002
【図２】
0003663637.tif 000003
【図３】
0003663637.tif 000004
【図４】
0003663637.tif 000005